(57)【要約】      （修正有）【課題】電池の使用開始後であっても当該電池の使用状況の簡便な把握を可能とする電池パックを提供する。【解決手段】電池パック１０は、乾電池１が４本、正極と負極とを結ぶ軸方向（長軸方向）を平行にして、一列に並んでいる。電池パック１０では、４枚のシール２と、これらが剥離可能に貼り付けられたシール台紙３が、一列に並んだ４本の乾電池１の側面部分に、４本の乾電池１の並びに沿って配置されている。そして、４本の乾電池１とシール台紙３は、透明フィルム４によって、４本の乾電池１が一列に並び、その側面部分にシール台紙３が配置された状態で内部に固定されるよう包装されている。ここで、シール２の粘着面は、シール台紙３に剥離可能に貼り付けられており、乾電池１には貼り付けられていない。【選択図】図１
0003189329.tif 000002
【実用新案登録請求の範囲】
【請求項１】
１つ以上の電池と、
前記電池の使用状況を記入する記入面、及び前記電池の表面に貼付可能な粘着面を有するシールと、
前記１つ以上の電池、及び前記シールを包装する包装部材と、
を備える電池パック。
【請求項２】
前記シールが剥離可能に貼り付けられたシール台紙を、包装内に更に備える請求項１に記載の電池パック。
【請求項３】
前記記入面が、前記電池の使用状況を記入する記入欄を有する請求項１又は２に記載の電池パック。
【請求項４】
前記使用状況が、前記電池の使用開始日、累積使用時間、及び再充電回数からなる群より選択される少なくとも１つである請求項１〜３のいずれか一項に記載の電池パック。
【請求項５】
前記電池が、乾電池又は小型充電式電池である請求項１〜４のいずれか一項に記載の電池パック。
【請求項６】
前記包装部材が、透明フィルム、又は紙を含む材料からなる請求項１〜５のいずれか一項に記載の電池パック。
【考案の詳細な説明】
【技術分野】
【０００１】
本考案は、電池パックに関する。更に詳しくは、１つ以上の電池を包装した電池パックに関する。
【背景技術】
【０００２】
従来、市販されている乾電池等の電池の外装には、通常、製造年月日が表示されており、製造時期が判るようになっている。
【考案の概要】
【考案が解決しようとする課題】
【０００３】
しかしながら、電池を電源とする各種電気機器に電池を装着し、電池の使用を開始した後では、当該電池の残量や、使用開始時期等の使用状況を把握することは難しい。
【０００４】
バッテリーテスター等、電池の残量を測定する機器が知られているが、そのような機器を準備する必要があり、更に簡便に電池の使用状況を把握したいという要請があった。
【０００５】
本考案は、このような従来技術の有する問題点に鑑みてなされたものであり、その課題とするところは、電池の使用開始後であっても当該電池の使用状況の簡便な把握を可能とする製品を提供することにある。
【課題を解決するための手段】
【０００６】
本考案者は上記課題を達成すべく鋭意検討した結果、使用開始日等の情報を記入することができ、且つ、電池の表面に貼り付けることができるシールを、電池と共に包装することにより、上記課題を達成することを可能にする電池パックを提供できることを見出し、本考案を完成するに至った。
【０００７】
即ち、本考案によれば、以下に示す電池パックが提供される。
【０００８】
［１］  １つ以上の電池と、前記電池の使用状況を記入する記入面、及び前記電池の表面に貼付可能な粘着面を有するシールと、前記１つ以上の電池、及び前記シールを包装する包装部材と、を備える電池パック。
【０００９】
［２］  前記シールが剥離可能に貼り付けられたシール台紙を、包装内に更に備える前記［１］に記載の電池パック。
【００１０】
［３］  前記記入面が、前記電池の使用状況を記入する記入欄を有する前記［１］又は［２］に記載の電池パック。
【００１１】
［４］  前記使用状況が、前記電池の使用開始日、累積使用時間、及び再充電回数からなる群より選択される少なくとも１つである前記［１］〜［３］のいずれかに記載の電池パック。
【００１２】
［５］  前記電池が、乾電池又は小型充電式電池である前記［１］〜［４］のいずれかに記載の電池パック。
【００１３】
［６］  前記包装部材が、透明フィルム、又は紙を含む材料からなる前記［１］〜［５］のいずれかに記載の電池パック。
【考案の効果】
【００１４】
本考案の電池パックは、電池の使用開始後であっても当該電池の使用状況の簡便な把握を可能とするものである。
【図面の簡単な説明】
【００１５】
【図１】本考案の電池パックの一実施形態を模式的に示す斜視図である。
【図２】本考案の一実施形態におけるシール台紙を模式的に示す平面図である。
【考案を実施するための形態】
【００１６】
以下、本考案の実施の形態について説明するが、本考案は以下の実施の形態に限定されるものではなく、本考案の趣旨を逸脱しない範囲で、当業者の通常の知識に基づいて、以下の実施の形態に対し適宜変更、改良等が加えられたものも本考案の範囲に入ることが理解されるべきである。
【００１７】
本考案の電池パックは、１つ以上の電池と、シールと、包装部材とを備えるものである。本考案の電池パックが備えるシールは、電池の使用状況を記入する記入面、及び、電池の表面に貼付可能な粘着面を有する。本考案の電池パックが備える包装部材は、１つ以上の電池と共に、シールを包装するものである。
【００１８】
本考案の電池パックによれば、電池の使用前、使用中、又は使用後に、当該電池の使用状況をシールの記入面に記入し、当該シールを電池の表面の任意の箇所に貼り付けることができる。そのため、電池の使用を開始した後であっても、任意の時点において、当該電池の使用状況を把握することが可能である。例えば、電池が乾電池であった場合、当該乾電池を電源として使用するべく電気機器へ装着する際に、使用開始日や累積使用時間をシールの記入面に記入し、当該シールを乾電池の表面の任意の場所へ貼り付けておくことにより、乾電池を使用開始した後であっても、使用開始日や使用開始日までの累積使用時間を確認することができる。使用開始日や累積使用時間を確認することができるため、乾電池の総使用期間を計算することが可能となり、乾電池の残量を推測することが可能となる。また、例えば、電池が小型充電式電池であった場合、当該小型充電式電池が放電して電気機器の電源として機能しなくなったものを再充電した際に、再充電回数等をシールの記入面に記入し、記録しておくことができる。これにより、当該小型充電式電池の再充電回数等の使用状況を、任意の時点で確認し、その使用状況を把握することができる。
【００１９】
以下、本考案の電池パックについて、図面を参照しながら詳細に説明する。図１は、本考案の一実施形態を模式的に示す斜視図である。図２は、本考案の一実施形態におけるシール台紙を模式的に示す平面図である。
【００２０】
図１で示す電池パック１０は、電池が単三型等の乾電池１の場合を示している。図１では、乾電池１が４本、正極と負極とを結ぶ軸方向（長軸方向）を平行にして、一列に並んでいる。図１に示す電池パック１０では、４枚のシール２と、これらが剥離可能に貼り付けられたシール台紙３が、一列に並んだ４本の乾電池１の側面部分に、４本の乾電池１の並びに沿って配置されている。そして、４本の乾電池１とシール台紙３は、透明フィルム４によって、４本の乾電池１が一列に並び、その側面部分にシール台紙３が配置された状態で内部に固定されるよう包装されている。ここで、シール２の粘着面は、シール台紙３に剥離可能に貼り付けられており、乾電池１には貼り付けられていない。なお、シール２は電池１に貼り付けられた状態で電池パック内に包装されていても良いが、シール２の記入面への記入のし易さから、シール２はシール台紙３に剥離可能に貼り付けられた状態で、電池パック内に包装されていることが好ましい。
【００２１】
図２に示すシール台紙３は、図１に示すシール台紙３を拡大したものである。４枚のシール２の上部には「使用開始日：」と印字されており、その下部に、電池１の使用状況を記入する記入欄が設けられている。図２では、電池１の使用状況は、使用開始日である。
【００２２】
使用状況としては、使用開始日以外にも、累積使用時間、再充電回数等を、シールの記入欄に記入しても良い。その場合、適宜、シール上部の印字を変更しても良い。
【００２３】
以下、本考案の電池パックの各構成要素について、説明する。
【００２４】
１．電池
電池は、特に制限されることなく、各種の化学電池や物理電池とすることができる。
【００２５】
化学電池としては、例えば、マンガン乾電池、アルカリマンガン乾電池、ニッケル系一次電池、オキシライド乾電池等の乾電池や、鉛蓄電池、リチウムイオン二次電池、ニッケル・水素蓄電池、ニッケル・カドミウム蓄電池等の小型充電式電池等を挙げることができる。
【００２６】
電池の形状としては、例えば、図１に示すような、単三型等、各種規格に適合する形状であって良い。
【００２７】
電池パックに含まれる電池の数は、制限されない。図１では、乾電池１が４本の場合を示したが、１本、２本、３本、８本、１２本等、任意の数の電池をまとめて１つの電池パックとしても良い。
【００２８】
複数の電池を電池パックに包装する場合、各電池の並び方は限定されない。図１に示すように、全ての電池１が１列に並ぶように配置しても良いし、２列、３列等複数列に配列するよう配置しても良い。
【００２９】
２．シール及びシール台紙
本考案において、シールは、電池の使用状況を記入するための記入面と、電池の表面に貼付可能な粘着面とを有する。電池パック内に収めるシールの数は、電池の数に合わせれば良いが、予備として、数枚のシールを電池の数よりも多く電池パック内に包装しておいても良い。
【００３０】
シールの材料としては、特に制限されないが、油性又は水性の塗料やインクや鉛筆等の各種筆記具により記入可能なものであることが好ましい。例えば、紙、樹脂コーティングや梨地加工等の特殊加工された各種材料等であっても良い。
【００３１】
記入面には、電池の使用状況を記入する記入欄が設けられていることが好ましい。例えば、図２に示すように、シールの上部に使用状況を表示し、その下部に具体的な使用状況を記入するための記入欄を設けておくことができる。例えば、使用状況として、電池の使用開始日を記入する形態とする場合、シールの上部に「使用開始日：」と印字等により表示させておき、その下部に、使用者が使用開始日を記入できるよう記入欄を設けておくことができる。
【００３２】
粘着面には、電池の表面に貼付可能な粘着剤を塗布しておくことができる。粘着剤の種類は特に限定されず、ゴム系、アクリル系、シリコーン系等を使用することができる。
【００３３】
シール台紙等の剥離紙に貼り付けた状態で電池パック内に包装する場合、シール台紙は、少なくともシールの貼付部分において、シールの粘着面が剥離可能に貼り付けられるものである。ここで、剥離可能とは、剥離方向に一定の力が働いた場合にのみシールが剥離し、自然にはシールが剥離しない性質を意味する。具体的には、シール台紙の少なくともシールの貼付部分において、例えば、シールの粘着剤が強固に接着しないよう、表面処理を施しておくことができる。
【００３４】
シール台紙は、シールの枚数に合わせて、複数枚のシール台紙に１枚又は数枚のシールを剥離可能に貼り付けたものであっても良いし、１枚のシール台紙に多数のシールを剥離可能に貼り付けたものであっても良い。
【００３５】
３．包装部材
包装部材は、電池とシール、シール台紙を一体に包装するものである。
【００３６】
包装部材の材料としては、特に限定されず、透明フィルム、厚紙等であって良い。これらの中でも、包装内のシールやシール台紙が外部から視認できる透明な材料が好ましい。また、包装作業の簡便さから、熱収縮性の透明フィルムを包装部材として用いることが更に好ましい。
【産業上の利用可能性】
【００３７】
本考案は、各種電池に適用することができる。
【符号の説明】
【００３８】
１：電池（乾電池）、２：シール、３：シール台紙、４：包装部材、１０：電池パック。
【図１】
0003189329.tif 000003
【図２】
0003189329.tif 000004